(57)【要約】      （修正有）【課題】粘着テープを通常の切断端部およびスラッシュカットの両方の切断端部に切断処理することが可能であると共に安価なテープ台を提供する。【解決手段】粘着テープ５２が巻き付けられたテープロール５０を回転可能に保持するテープ台本体２０と、テープロール５０の巻端部から引き出した粘着テープ５２を粘着させて保持するテープ保持部３０と、該テープ保持部３０に保持させた粘着テープ５２を引き出して、所定長で切断する切断刃３２とを具備し、テープ保持部３０は、テープ台本体２０に対して、切断刃３２の刃渡り方向が粘着テープ５２の引き出し方向に対して所定角度交差した位置で保持するように角度調整可能に組み付けられていることを特徴とするテープ台である。【選択図】図４
0003166709.tif 000002
【実用新案登録請求の範囲】
【請求項１】
粘着テープが巻き付けられたテープロールを回転可能に保持するテープ台本体と、
前記テープロールの巻端部から引き出した粘着テープを粘着させて保持するテープ保持部と、
前記テープ保持部に保持させた粘着テープを引き出して、所定長で切断する切断刃と、を具備し、
前記テープ保持部は、前記テープ台本体に対して、前記切断刃の刃渡り方向が前記粘着テープの引き出し方向に対して所定角度交差した位置で保持するように角度調整可能に組み付けられていることを特徴とするテープ台。
【請求項２】
前記テープ保持部は、前記テープ台本体に対して、水平面内において回動可能に組み付けられており、対向する組付け面が磁気吸引力により任意の回転位置で位置決め可能に形成されていることを特徴とする請求項１記載のテープ台。
【請求項３】
前記テープ保持部は、前記テープ台本体と回動可能に嵌合しており、前記テープ保持部の回転方向に沿って配設されたクリック式回転位置決め部により位置決め可能に形成されていることを特徴とする請求項１または２記載のテープ台。
【請求項４】
前記テープ保持部と前記テープ台本体とは着脱可能であると共に、前記テープ保持部の回転方向に沿って凹凸嵌合部が形成されていて、
前記凹凸嵌合部の嵌合状態を選択することにより、前記テープ保持部が前記テープ台本体に対して位置決め可能に形成されていることを特徴とする請求項１記載のテープ台。
【考案の詳細な説明】
【技術分野】
【０００１】
本考案は、テープ台に関し、より詳細にはテープ端部をスラッシュカットする際に用いて好適なテープ台に関する。
【背景技術】
【０００２】
商品等を流通させる際には、商品を個別に包装することが多い。このような商品の個別包装の形態の一例として、袋体に形成された薄手の合成樹脂フィルム内に商品を収容し、袋体の開口部付近を束ねて巾着袋状となるように締結した図１０に示すような個別包装体１００がある。図１０に示すような個別包装体１００においては、内部に収容されている商品を取り出そうとする場合、締結部材を丁寧に取り除いて内部の商品の取り出しをすれば、袋体に再び商品を収容することができる。しかしながら、締結部材として粘着テープ５２が用いられていると、図１０の右側に示すように粘着テープ５２の切断端部５２Ａ，５２Ｂどうしが互いに密着した状態になっているため、粘着テープ５２の引き剥がしをきれいに行うことができない。はさみ等を用いて個別包装体１００の締結部分（粘着テープ５２の部分）を含む上端部分を切除することもできるが、はさみなどが近くに無いときは袋体を引き裂いて袋体の内部に収容されている商品を取り出すことが多い。このようにして取り出した商品は再度袋体に収容することができなくなってしまうという課題がある。
【０００３】
このような問題点を鑑み、粘着テープの一方の端部が他方の端部と密着しないように、あらかじめ粘着テープの端部を、粘着層どうしが向かい合うようにして折り曲げて粘着テープの端部の粘着層の露出を防ぎ、端部折りたたみ部分を粘着テープの引き剥がし端部にするためのテープ台の構成例が特許文献１，２に開示されている。
特許文献１，２に開示されているテープ台は、粘着テープの切断端部における粘着層どうしを対向させた状態で密着させて、切断端部における粘着層の露出をなくすと共につまみ代を形成しておくことで、粘着テープの引き剥がし端部の好適な処理形態を提供することができるとしている。
【先行技術文献】
【特許文献】
【０００４】
【特許文献１】特開平９−１９４１１７号公報
【特許文献２】特開２０１０−７０２６６号公報
【考案の概要】
【考案が解決しようとする課題】
【０００５】
特許文献１，２に開示されているようなテープ台は、リンク機構や付勢部材を用いた可動部を有する構成であるため、テープ台の構造が複雑になり、故障の発生頻度が高くなるというおそれや、テープ台の製造コストが高騰してしまうといった課題がある。また、粘着テープの切断端部を通常の切断形状にするための一般的な構成を有するテープ台が別途必要になるという課題もある。
【０００６】
そこで本考案は、きわめて簡単な構成でありながらも、テープ体を通常の切断端部およびスラッシュカットの両方の切断端部に切断処理することが可能であると共に安価で提供することが可能なテープ台の提供を目的としている。
【課題を解決するための手段】
【０００７】
上記課題を解決するために本考案者は鋭意研究を行った結果、以下の構成に想到した。
すなわち、粘着テープが巻き付けられたテープロールを回転可能に保持するテープ台本体と、前記テープロールの巻端部から引き出した粘着テープを粘着させて保持するテープ保持部と、前記テープ保持部に保持させた粘着テープを引き出して、所定長で切断する切断刃と、を具備し、前記テープ保持部は、前記テープ台本体に対して、前記切断刃の刃渡り方向が前記粘着テープの引き出し方向に対して所定角度交差した位置で保持するように角度調整可能に組み付けられていることを特徴とするテープ台である。
【０００８】
また、前記テープ保持部は、前記テープ台本体に対して、水平面内において回動可能に組み付けられており、対向する組付け面が磁気吸引力により任意の回転位置で位置決め可能に形成されていることを特徴とする。
また、前記テープ保持部は、前記テープ台本体と回動可能に嵌合しており、前記テープ保持部の回転方向に沿って配設されたクリック式回転位置決め部により位置決め可能に形成されていることを特徴とする。
また、前記テープ保持部と前記テープ台本体とは着脱可能であると共に、前記テープ保持部の回転方向に沿って凹凸嵌合部が形成されていて、前記凹凸嵌合部の嵌合状態を選択することにより、前記テープ保持部が前記テープ台本体に対して位置決め可能に形成されていることを特徴とする。
これらにより、粘着テープの端部を切断処理する際に、スラッシュカットを容易に行うことができる。また、テープ台本体に対して位置決めしたテープ保持部の状態を確実に維持させることができるため、粘着テープの引き出し方向における中心線に対する切断刃の交差角度のずれがなく、粘着テープの切断処理をきわめて容易に行なうことができる。
【考案の効果】
【０００９】
本考案にかかるテープ台によれば、簡単な操作でテープをテープの引き出し方向に対して直交する切断端部とスラッシュカットされた切断部分との両方の切断端部形状に切断処理することが可能である。また、可動部がきわめて簡単な構成であるから故障のリスクが少なく、低コストでテープ台を提供することが可能である。
【図面の簡単な説明】
【００１０】
【図１】第１実施形態におけるテープ台の正面図である。
【図２】図１に示すテープ台のテープ保持部をテープ台本体から分離させた状態を示す右側面図である。
【図３】図１に示すテープ台を用いて、粘着テープを通常の切断形態で切断している状態を示す平面図およびテープ保持部の拡大図である。
【図４】図１に示すテープ台を用いて、粘着テープの切断端部をスラッシュカットしている状態を示す平面図およびテープ保持部の拡大図である。
【図５】図４に示す切断端部形状の粘着テープを締結部材として用いた巾着袋状の個別包装体の正面図と粘着テープの端部処理の状態を示す拡大図である。
【図６】第２実施形態にかかるテープ台を示す右側面図である。
【図７】第３実施形態にかかるテープ台を示す右側面図とＡ−Ａ線における断面図である。
【図８】第４実施形態にかかるテープ台を示す右側面図とＡ−Ａ線における断面図である。
【図９】第５実施形態にかかるテープ台のテープ保持部を示す平面図である。
【図１０】従来技術における個別包装体の正面図と粘着テープの端部処理の状態を示す拡大図である。
【考案を実施するための最良の形態】
【００１１】
以下、本考案にかかるテープ台の実施形態について図面に基づいて説明する。
【００１２】
（第１実施形態）
本実施形態にかかるテープ台１０は、図１に示すように、合成樹脂製の長尺フィルム体の一面側が粘着層に形成された粘着テープ５２が円筒状に形成された巻芯５４に巻き付けられたテープロール５０の巻端部から適宜長さに引き出した粘着テープ５２を切断するためのものである。テープロール５０は、アダプタ６０を介してテープ台本体２０に回転可能に保持された状態で装着される。
アダプタ６０は、テープロール５０の回転軸と同軸位置に形成された回転軸６２を有する。アダプタ６０は、アダプタ６０の外周面の全周または一部を巻芯５４の内周面に内接させるようにしてテープロール５０に装着される。アダプタ６０はアダプタ６０の回転軸６２をテープ台本体２０の上面に形成された装着穴２２に落とし込んでテープ台本体２０に装着される。このようにしてアダプタ６０は、テープロール５０と共に回転軸６２周りに回転可能に保持されることになる。
【００１３】
テープ台本体２０にはテープ保持部３０が取り付けられている。テープ保持部３０には、テープロール５０から所定長さに引き出された粘着テープ５２を任意の位置で切断するための切断刃３２が取り付けられている。また、テープ保持部３０の上面には、粘着テープ５２の切断時に粘着テープ５２の粘着面の一部を粘着させて保持する貼着保持部３３が設けられている。本実施形態においては、切断刃３２とテープ貼着保持部３３とは金属板により一体プレス成形されたものが用いられている。テープ保持部３０の上面には、切断刃３２の両端部位置から起立する起立部３８が形成されている。起立部３８は、不意に切断刃３２に接触しないようにするための怪我防止対策である。
【００１４】
図１、図２に示すように、テープ台本体２０にはテープ保持部３０との組付け面に凸部２４が形成されている。凸部２４の上端部には磁石２６が取り付けられている。またテープ保持部３０には、テープ台本体２０との組付け面に凹部３４が形成されていて、凹部３４の頂部内面には磁石３６が取り付けられている。これら磁石２６，３６は、いずれも互いに吸着する極性配置となるように公知の方法により取り付けられている。本実施形態においては、磁石２６の上面をＮ極とし、磁石３６の下面をＳ極となるようにしたが、この極性配置の組み合わせとは逆の組合せとしても良い。
【００１５】
本実施形態では、このように形成された凸部２４、凹部３４および磁石２６，３６によって、テープロール５０から引き出した粘着テープ５２の中心軸線ＡＸに対する切断刃３２の刃渡り方向の交差角度を調整すると共に所定角度に交差させた角度状態を維持する切断刃角度調整部が構成されていることになる。
【００１６】
以上のように形成されたテープ台本体２０とテープ保持部３０は、テープ台本体２０の凸部２４に、テープ保持部３０の下面に形成した凹部３４を差し込むだけで組み付けることができる。嵌合部である凸部２４と凹部３４とを嵌合させた際に、テープ保持部３０をテープ台本体２０へ差し込む際にクリック感が得られるように凸部２４の外周面および凹部３４の内周面にスナップフィット部（図示せず）を形成しておけば好適である。これにより、テープ台本体２０とテープ保持部３０との着脱が容易であると共に、組み付けられたテープ台本体２０とテープ保持部３０とが不意に離脱することを防止することができる。
このようにして組み立てられたテープ台１０は図１および図３に示す状態になる。なお、図１、図３に示す状態は、テープロール５０の巻端部から引き出した粘着テープ５６の中心軸ＡＸに対して切断刃３２の刃渡り方向の角度が直角となる、いわゆる通常のテープ台１０として使用する状態が示されている。図３（Ａ）はテープ台１０の平面図であり、図３（Ｂ）は、図３（Ａ）中の破線部で囲んだ部分と粘着テープ５２の切断端部５２Ａ，５２Ｂの形状を示す拡大平面図である。
【００１７】
これに対してテープロール５０から引き出した粘着テープ５２の切断端部５２Ａ，５２Ｂの形状をスラッシュカット部に形成する場合には、図４に示すようにテープ保持部３０を凸部２４周りに回転（水平面内に回転）させて、テープロール５０から引き出した粘着テープ５２の中心軸ＡＸに対する切断刃３２の刃渡り方向の角度が所望の角度状態となるように適宜調整することができる。図４は、粘着テープ５２の切断端部５２Ａ，５２Ｂをスラッシュカット部に形成するときのテープ台１０の状態を示す平面図であり、図４（Ｂ）は、図４（Ａ）中の破線部で囲んだ部分と粘着テープ５２の切断端部５２Ａ，５２Ｂの形状を示す拡大平面図である。
【００１８】
図４（Ｂ）に示すような切断端部５２Ａ，５２Ｂ形状に切り分けた粘着テープ５２を用いて、図１０に示したような個別包装体１００の締結部材に適用した状態を図５に示す。図５からも明らかなように、締結部分である粘着テープ５２の切断端部５２Ａ，５２Ｂが明確になると共にそれぞれの切断端部５２Ａ，５２Ｂのつまみ代が十分あるため、粘着テープ５２の粘着層どうしが引き剥がし易くなり、粘着テープ５２をきれいに取り外すことができる点で好都合である。
【００１９】
テープ台本体２０の凸部２４およびテープ保持部３０の凹部３４には互いに吸着しあう磁石２６，３６が配設されているので、所要長さに引き出した粘着テープ５２を切断する程度の力では、粘着テープ５２の引き出し方向における中心軸ＡＸに対する切断刃３２の刃渡り方向の交差角度がずれてしまうことはない。すなわち粘着テープ５２は、常に、図４（Ｂ）に示すような状態の切断端部５２Ａ，５２Ｂとなるように切断処理することができる。
【００２０】
（第２実施形態）
図６は、第２実施形態にかかるテープ台１０の一例を示す右側面図である。本実施形態においては、第１実施形態におけるテープ台１０と同じ構成については、同じ符号を用いることによりここでの詳細な説明は省略している。
本実施形態は第１実施形態の変形例である。具体的には、テープ台本体２０とテープ保持部３０の右側面にテープロール５０から引き出した粘着テープ５２の中心軸Ｘと切断刃３２の刃渡り方向との交差角度を表示する角度表示部７０が配設されている点が第１実施形態と異なる構成である。他の部分の構成は第１実施形態におけるテープ台１０と同様にすることができる。
【００２１】
本実施形態における角度表示部７０は、テープ保持部３０の右側面に配設された目盛り７１および数値部７２と、テープ台本体２０の右側面に配設された指示部７３とにより構成されているが、目盛り７１および数値部７２をテープ台本体２０に配設し、指示部７３をテープ保持部３０に配設しても良い。本実施形態に示した構成を採用することにより、粘着テープ５２の切断端部５２Ａ，５２Ｂの形状を数値で特定することができるため好都合である。
【００２２】
（第３実施形態）
図７は、第３実施形態にかかるテープ台を示す右側面図とＡ−Ａ線における断面図である。
本実施形態においては、テープ保持部３０とテープ台本体２０とに、テープ保持部３０を回転させる方向に沿って配設されたクリック式回転位置決め部８０により位置決め可能に形成されている。この形態を採用することにより磁石２６，３６の配設を省略することもできる。クリック式回転位置決め部８０は、テープ台本体２０に形成された凸部２４の外周面に所要間隔をあけて配設された球状体８２と、テープ保持部３０の凹部３４の内周面において、球状体８２の外周面に倣った形状に形成された球状体嵌合部８４と球状体嵌合部８４の配設間部分に形成された乗り上げ部８６とにより構成されている。
【００２３】
球状体８２は、テープ保持部３０を回転させる際の力により弾性変形可能な材料により形成され、凸部２４の外周面に一部を露出させた状態で埋設されているか、図示しない付勢部材により球状体嵌合部８４に球状体８２を押圧させる方向の付勢力が付与され、付勢力に抗して凸部２４の中心側に移動可能な状態で凸部２４の外周面に一部を露出させた状態で配設されている。使用者がテープ保持部３０を回転させることにより、球状体８２は球状体嵌合部８４から乗り上げ部８６を乗り越えて隣接する球状体嵌合部８４に移動する。これにより粘着テープ５２の引き出し方向の中心軸線ＡＸに対する切断刃３２の交差角度を所要の交差角度に設定した状態でテープ台本体部２０に対してテープ保持部３０を位置決めした状態で保持することができる。
本実施形態においては、球状体８２を凸部２４の外周面の周方向に沿って均等間隔に配設した形態を示しているが、球状体８２は単数を含めた適宜個数を配設した形態としても良い。また、球状体８２をテープ保持部３０の凹部３４側に配設し、球状体保持部８４および乗り上げ部８６を凸部２４側に配設することも可能である。この場合、球状体８２を付勢手段により付勢する場合には、本実施形態とは反対方向に付勢力を作用させるのはもちろんである。
また、テープ台本体２０とテープ保持部３０の組立構造は、第１実施形態と同様にスナップフィット部によるものが好適である。
【００２４】
（第４実施形態）
図８は、第４実施形態にかかるテープ台１０を示す右側面図である。
本実施形態においては、テープ台本体２０とテープ保持部３０との嵌合部である凸部２４と凹部３４の平面形状が星型形状に形成されている点が特徴である。嵌合部をこのような星型形状に形成すれば、第１実施形態のように互いに吸引しあう磁石２６，３６を用いてテープ台本体２０とテープ保持部３０とを固定する必要がない点で好都合である。
【００２５】
また、平面視形状が星型形状をなす凸部２４と凹部３４の外周縁における突出部分の個数を調整することにより、テープロール５０の巻端部から引き出した粘着テープ５６の中心軸Ｘと切断刃３２の刃渡り方向との交差角度を所要間隔で切り替えすることができる点においても好都合である。本実施形態においては凸部２４と凹部３４に互いに吸着する磁石を配設していないが、第１実施形態と同様にして磁石２６，３６を配設することもできる。
【００２６】
（第５実施形態）
図９は、第５実施形態にかかる第５実施形態にかかるテープ台のテープ保持部を示す平面図である。
本実施形態においては、テープ台本体２０とテープ保持部３０のそれぞれに歯車９０，９２が配設されていて、歯車９０，９２の動作により粘着テープ５２の引き出し方向の中心線ＡＸに対する切断刃３２の交差角度を調整可能にしている。図９では、テープ台１０の右側面からテープ台本体２０に取り付けられた歯車９０外周面の一部を露出させて回転可能な状態で配設し、テープ保持部３０の平面中心軸と同軸に形成した連結軸９４に固定した歯車９２を歯車９０に噛合させた構成としている。
【００２７】
使用者はテープ台１０の右側面から露出した歯車９０を回転操作することにより、歯車９０に噛合する歯車９２を回転させ、歯車９２が固定された連結軸９４と共にテープ保持部３０（切断刃３２）を粘着テープ５２の引き出し方向の中心線ＡＸに対する切断刃３２の刃渡り方向の交差角度を所要角度状態に設定することができる。なお、図９では、テープ台本体２０の右側面から歯車９０の一部を露出させているが、歯車９０を操作することができれば歯車９０の露出部位は限定されるものではない。
【００２８】
以上に本実施形態にかかるテープ台１０に構成について詳細に説明したが、本考案は以上の実施形態に限定されるものではない。例えば、第１実施形態においては、嵌合部である凸部２４と凹部３４に互いに吸着する磁極配置となるように磁石２６，３６を配設しているが、凸部２４または凹部３４のいずれか一方に磁石を配設し、他方には磁石に代えて磁性体を配設または他方を磁性体により形成しても同様の効果を得ることができると共に、さらに低コストのテープ台１０を提供することが可能になる。
【００２９】
また、以上の実施形態においては、切断部３０の上面に配設した鋸刃状の切断刃３２の両端縁部分は切断刃３２よりも高い起立部３８を形成した実施形態について説明している。ところが、この起立部３８により、粘着テープ５２の引き出し方向における中心軸ＡＸに対する切断刃３２の刃渡り方向の交差角度に制約が生じることもある。具体的には、粘着テープ５２の切断端部５２Ａ，５２Ｂの形状を細長いテーパ状にしようとする場合は、起立部３８が粘着テープ５２と干渉してしまうことがある。粘着テープ５２の切断端部５２Ａ，５２Ｂを細長いテーパ形状とする場合には、起立部３８をなくし、テープ保持部３０の上面において可及的に幅広寸法となる位置に切断刃３２を配設すればよい。
さらには、以上に説明した実施形態を適宜組み合わせた構成であっても本考案の技術的範囲に属するのはもちろんである。
【符号の説明】
【００３０】
１０  テープ台
２０  テープ台本体
２４  凸部
２６，３６  磁石
３０  テープ保持部
３２  切断刃
３４  凹部
５０  テープロール
５２  粘着テープ
５２Ａ，５２Ｂ  切断端部
８０  クリック式回転位置決め部
８２  球状体
８４  球状体嵌合部
８６  乗り上げ部
９０，９２  歯車
１００  個別包装体
【図１】
0003166709.tif 000003
【図２】
0003166709.tif 000004
【図３】
0003166709.tif 000005
【図４】
0003166709.tif 000006
【図５】
0003166709.tif 000007
【図６】
0003166709.tif 000008
【図７】
0003166709.tif 000009
【図８】
0003166709.tif 000010
【図９】
0003166709.tif 000011
【図１０】
0003166709.tif 000012